(57)【要約】      （修正有）【課題】好気性と嫌気性の微生物を天然材料で複合培養した有効微生物群（Ｅ・Ｍ菌）を活用して作った微生物天然資材入りの手づくり石鹸を提供する。【解決手段】お米の表面には乳酸菌が付いており、お米を研ぐことによって出来るこの乳酸菌入のとぎ汁に好気性と嫌気性の乳酸菌群、酵母菌、光合成細菌郡、醗酵系の糸状菌郡、グラム陽性の放線菌郡）を天然材料で複合培養した有効微生物群の液状の培養液を、粘土に混ぜ込み焼き上げたセラミックスを微粉末（パウダー）状にし、リサイクルオイル又は各種植物油オイルに混合し撹拌して、組み合わせた石鹸である。【選択図】図１
0003213379.tif 000002
【実用新案登録請求の範囲】
【請求項１】
活性液の作り方工程Ｓ１からＥ・Ｍ‐１天然アルコール「Ｅ・Ｍ発酵液」とＥ・Ｍ‐１菌（液状）を加えたＥ・Ｍ−Ｘセラミックスパウダー投入工程Ｓ２と、リサイクルオイル（廃油）投入工程Ｓ３から石けん原油元工程Ｓ４完了後保温箱等に、型容器ごと一次乾燥Ｓ５を経て、せっけん型から取り出し、熟成乾燥Ｓ６とから成ることを特徴とする好気性と嫌気性の微生物（乳酸菌群、酵母菌、光合成細菌郡、醗酵系の糸状菌郡、グラム陽性の放線菌郡）を天然材料で複合培養した有効微生物群の意味の造語で以下「Ｅ・Ｍ」と称し、その一種である品名「Ｅ・Ｍ−１」は働きの異なる数十種の微生物で培養された液状の培養液であり、「Ｅ・Ｍ−Ｘセラミックスパウダー」はＥ・Ｍ菌を粘土に混ぜ込み焼き上げたセラミックスを微粉末（パウダー）状にした菌パウダーであり複合したＥ・Ｍ菌と石けん主原料となるリサイクルオイル（廃油）もしくは各種オイル（１例：オリーブオイル、ココナッツオイル、バームオイル、マカダミアナッッオイル、ホホバオイル、スィートアーモンドオイル、ひまし油その他のオイル等）との混合配合による、手つくりＥ・Ｍ菌（微生物）いり石けん製造。
【請求項２】
お米を研ぐときに出るお米のとぎ汁に苛性ソーダー（水酸化ナトリウムもしくはオルトケイ酸ナトリウム）を耐熱容器などに静かに注ぐように入れますと濁りながら苛性ソーダーが溶け始め煙と嫌な匂いを出しはじめますと約９０℃位の高熱になりますので長手の撹拌棒などでゆっくり撹拌しＳ１工程から次の工程に入る撹拌から約６０℃まで冷ましてからＥ・Ｍ‐１天然アルコール（図３製法にて前もって製造して置く）を注ぎ、Ｅ・Ｍ‐１菌（液状）とＥ・Ｍ−Ｘセラミックスパウダーの混入した菌を同様に注ぎながら耐熱容器の中で長手の撹拌棒などでゆっくりと撹拌しＳ２の工程から次の工程に入る撹拌状況のＥ・Ｍ−Ｘセラミックスパウダーが完全に混合し溶けたことを判断後リサイクルオイル「廃油」（固まっていた場合は湯煎をして溶かす）もしくは各種植物油（オイル）を溶解したＥ・Ｍ−Ｘセラミックスパウダーに混合するように、糸を引くように垂らしいれながら、リサイクルオイル油などをゆっくりと馴染むように注ぎ入れ長手の撹拌棒などで撹拌しながら両方が馴染んでから、残りリサイクルオイル油などを、２００〜３００ｃｃ位の量でも一度に注いで構わないので撹拌しながらもったりした手応えの硬さ約１０〜２０分程、長手の撹拌棒などで撹拌し石けんの型容器に流し入れＳ４の工程から次の工程に入る、型容器に入った石けんを保温箱や保温部屋などに移動し、数日したら表面乾燥に入り少し固まり状態に入るＳ５の一次乾燥石けん後、型から取り出し、乾燥させる為約一ヶ月位熟成させる二次熟成乾燥仕上げ工程Ｓ６からなることを特徴とする前記請求項１に記載の手つくりＥ・Ｍ菌（微生物）いり石けん製造。
【請求項３】
前記請求項１、２に記載の手つくりＥ・Ｍ菌（微生物）いり石けん製造のフローチャートＳ３リサイクルオイルに変わり、各種植物油（１例：オリーブオイル、ココナッツオイル、バームオイル、マカダミアナッッオイル、ホホバオイル、スィートアーモンドオイル、米サラダオイルその他のオイル等）に材料を、置き換えることにより、各種オイルの相性において、石けんの使い要素が代わり、各種特殊な効果が引き出され新しい石けんが提供できることからなることを特徴とする前記請求項１、２に記載の手つくりＥ・Ｍ菌（微生物）いり石けん製造
【請求項４】
アルコール醗酵エキスを作る工程Ｓ７で作られたエキスを入れる容器は十分に洗浄したペットボトルなどの容器に入れる工程Ｓ８に投入したエキスの菌の増殖する工程Ｓ９で醗酵反応の段階でペット容器などに入っているガスにより容器が膨れ破裂しないように、栓を緩めてガスを抜く工程Ｓ１０を繰り返し行い醗酵反応が落ち着いてアルコール液の工程Ｓ１１を経て出来上がるＥ・Ｍ−１天然アルコール仕上がりの使用は上記記載で使用することを特徴とする前記請求項１、２、３に記載の手つくりＥ・Ｍ菌（微生物）いり石けん製造
【考案の詳細な説明】
【技術分野】
【０００１】  本考案は、お米の表面には乳酸菌が付いています、その働きはお米の腐敗防止をしている米の常在菌と呼ばれ、人体にも非常に大切な菌で、菌にはバリア機能があり、人であれば病気から保護し、お米であれば腐敗などを抑制する働きをしますこの菌はお米を研ぐことによって乳酸菌が含まれているとぎ汁が出来るこの乳酸菌入のとぎ汁に好気性と嫌気性の微生物（乳酸菌群、酵母菌、光合成細菌郡、醗酵系の糸状菌郡、グラム陽性の放線菌郡）を天然材料で複合培養した有効微生物群の意味の造語で以下「Ｅ・Ｍ」と称し、その一種である品名「Ｅ・Ｍ−１」は働きの異なる数十種の微生物で培養された液状の培養液であり、「Ｅ・Ｍ−Ｘセラミックスパウダー」はＥ・Ｍ菌を粘土に混ぜ込み焼き上げたセラミックスを微粉末（パウダー）状にした菌パウダー等をリサイクルオイル又は各種植物油（オイル）に混合し撹拌して、熟成乾燥した手つくりＥ・Ｍ菌（微生物）いり石けんに関するものである。
【背景技術】
【０００２】  従来、老人臭などの体臭を消すのにＥＭ菌を入れた石鹸はあった。また水虫やタムシの症状の改善に寄与する事ができるとした石けんが記載されていた。
［実用新案登録第３１５２７１６号］登録実用新案公報
【考案の開示】
【考案が解決しようとする課題】
【０００３】  従来洗浄剤には脂肪酸アルカリ塩である固形石鹸が主流で、これらの脂肪酸には不飽和脂肪酸が３０〜４０重量％程度使用されており、石けんの溶解性や成形性を保持するには有効であるが石けんとしての保存安定性が悪く、変色や臭気劣化が生じやすいと言う問題があった。さらに一般的石けんには海面活性剤や硬化剤、防腐剤や防カビ剤などの添加物が多数入った石けんが多く、肌荒れを起こすなどの問題があった。またＥＭ菌を入れた石けんの［実用新案登録第３１５２７１６号］登録実用新案公報の本考案に係る石けんの製造方法の説明に「ＥＭ菌を繁殖させるために」水の中に入れて放置する工程Ｓ１〜Ｓ３には、菌を繁殖させる餌となるものは石鹸材料には含んではいないのは明らかであり、ＥＭ菌の効力を引き出し発揮する目的の水虫などの抗菌効果は少なく、でんぷんとしては、ご飯を使用していると記述されて、ＥＭ菌の栄養源となるものであると記述しているが、石けんを作る工程原料の中には、ご飯は存在しないのは明らかであり、［実用新案登録第３１５２７１６号］登録実用新案公報の記述ではＥＭ菌効力を十分に引き出した石けんは出来ないのは明確であり、本考案はこの欠点を解決しようとするものである。
【課題を解決するための手段】
【０００４】  本考案は、活性液の作り方工程Ｓ１からＥ・Ｍ‐１天然アルコール「Ｅ・Ｍ発酵液」とＥ・Ｍ‐１菌（液状）を加えたＥ・Ｍ−Ｘセラミックスパウダー投入工程Ｓ２と、リサイクルオイル（廃油）投入工程Ｓ３から石けん原油元工程Ｓ４完了後保温箱等に型容器ごと一次乾燥Ｓ５を経て、せっけん型から取り出し熟成乾燥Ｓ６とから成ることを特徴とする好気性と嫌気性の微生物（乳酸菌群、酵母菌、光合成細菌郡、醗酵系の糸状菌郡、グラム陽性の放線菌郡）を天然材料で複合培養した有効微生物群の意味の造語で以下「Ｅ・Ｍ」と称し、その一種である品名「Ｅ・Ｍ−１」は働きの異なる数十種の微生物で培養された液状の培養液であり、「Ｅ・Ｍ−Ｘセラミックスパウダー」はＥ・Ｍ菌を粘土に混ぜ込み焼き上げたセラミックスを微粉末（パウダー）状にした菌パウダーであり複合したＥ・Ｍ菌と石けん主原料となるリサイクルオイル（廃油）もしくは各種オイルとのＥ・Ｍ菌混合配合とする事により問題点を解決している。
【考案の効果】
【０００５】上述の様に、本考案の手つくり石けんは好気性と嫌気性の微生物（乳酸菌群、酵母菌、光合成細菌郡、醗酵系の糸状菌郡、グラム陽性の放線菌郡）を天然材料で複合培養した有効微生物群の意味の造語で以下「Ｅ・Ｍ」と称し、その一種である品名「Ｅ・Ｍ−１」は働きの異なる数十種の微生物で培養された液状の培養液であり、「Ｅ・Ｍ−Ｘセラミックスパウダー」はＥ・Ｍ菌を粘土に混ぜ込み焼き上げたセラミックスを微粉末（パウダー）状にした菌パウダーであり複合したＥ・Ｍ菌と石けん主原料となるリサイクルオイル（廃油）もしくは各種植物油とのＥ・Ｍ菌混合配合でつくられた手つくり石けんの効果は、塩析を行わずにそのままつくられることが特徴で、油脂と苛性ソーダーとお米の表面に付いている乳酸菌、その働きは腐敗防止をしている常在菌を備えた米のとぎ汁に反応させ、さらにＥ・Ｍ−１天然アルコールを製法で作り上げた天然アルコールを加え添加していることからさらに油脂と苛性ソーダーの分離を抑える効果が増し品質のよい手つくり石けんを提供できる。
【考案を実施するための最良の形態】
【０００６】以下本考案の実施の形態について説明する。
（イ）お米を研ぐときに出る、お米のとぎ汁に苛性ソーダー（水酸化ナトリウムもしくはオルトケイ酸ナトリウム）を耐熱容器などに静かに注ぐように入れます。
（ロ）濁りながら苛性ソーダーが溶け始め、煙と嫌な匂いを出しはじめますと約９０℃位の高熱になりますので長手の撹拌棒などでゆっくり撹拌しＳ１工程から次の工程に入る。
（ハ）撹拌から約６０℃まで冷ましてから、Ｅ・Ｍ‐１天然アルコール（図３製法を参照して、前もって製造して置く）を注ぎ、Ｅ・Ｍ‐１菌（液状）とＥ・Ｍ−Ｘセラミックスパウダーの混入した菌を同様に注ぎながら耐熱容器の中で長手の撹拌棒などでゆっくりと撹拌しＳ２の工程から次の工程に入る。
（二）撹拌状況のＥ・Ｍ−Ｘセラミックスパウダーが完全に混合し溶けたことを判断後、リサイクルオイル「廃油」（固まっていた場合は湯煎をして溶かす）もしくは各種植物油を溶解したＥ・Ｍ−Ｘセラミックスパウダーに混合するように、糸を引くように垂らしいれながら、リサイクルオイル油などをゆっくりと馴染むように注ぎ入れ長手の撹拌棒などで撹拌しながら両方が馴染んでから、残りリサイクルオイル油などを、２００〜３００ｃｃ位の量でも一度に注いで構わないので撹拌をつずける。
（ホ）撹拌しながら、もったりした手応えの硬さ約１０〜２０分程、長手の撹拌棒などで撹拌し石けんの型容器に流し入れＳ４の工程から次の工程に入る。
（ヘ）型容器に入った石けんを保温箱や保温部屋などに移動し、数日したら表面乾燥に入り少し固まり状態に入るＳ５の一次乾燥工程から次の工程に入る。
（ト）一次乾燥工程の石けんを、型から取り出し、二次熟成乾燥仕上げ工程Ｓ６の仕上げ乾燥させ、約一ヶ月位熟成させ手つくり石けんの仕上がりとなる。
本考案は、以上の工程でこれを使用するときは、リサイクルオイル（廃油）を原料とした石けんは一般清掃や台所などのキッチン使用、食器やズック、落ちにくい衣服などその効果を十分に働きます。植物油のいろいろなオイルをベースにした石けんは、使用する植物オイルの植物効果で様々な石けんが作ることが出来ます。例えば１例：アボカドバターを使った石けん仕上がりの使用効果は、髪と皮膚に潤いを与え、自然な紫外線防止効果がある石けんができると言われています。保湿効果とか肌を柔らかくするなど植物オイルは肌に優しい石けんが出来ます。自然の米のお米の表面に付いている乳酸菌、その働きは腐敗防止をしている常在菌を備えた米のとぎ汁に反応させ、好気性と嫌気性の微生物（乳酸菌群、酵母菌、光合成細菌郡、醗酵系の糸状菌郡、グラム陽性の放線菌郡）を天然材料で複合培養した有効微生物群の意味の造語で以下「Ｅ・Ｍ」と称し、その一種である品名「Ｅ・Ｍ−１」は働きとの微生物の働きを応用して作られた手つくり石けんは、廃油やその配合原料のもつ匂いや使用感を不快にさせていた。従来の手つくり石けんの短所を改善した新しい石けんの製法でつくった手つくり石けんを提供しているので、使い目的を選択して使用できる石けんです。
【図面の簡単な説明】
【０００７】
【図１】本考案によるリサイクルオイル利用手つくり石けん製法のフローチャートである。
【図２】本考案による各種植物オイル利用手つくり石けん製法のフローチャートである。
【図３】本考案に使用するＥ・Ｍ−１天然アルコール製法のフローチャートである。
【符号の説明】
【０００８】Ｓ１  活性液の作り方工程
Ｓ２  Ｅ・Ｍ‐１天然アルコール「Ｅ・Ｍ発酵液」とＥ・Ｍ‐１菌（液状）を加えたＥ・      Ｍ−Ｘセラミックスパウダー投入工程
Ｓ３  リサイクルオイル（廃油）投入工程
Ｓ４  石けん原油元工程
Ｓ５  一次乾燥工程
Ｓ６  熟成乾燥工程
Ｓ７  各種植物油投入工程
Ｓ８  Ｅ・Ｍ−１天然アルコール
【図１】
0003213379.tif 000003
【図２】
0003213379.tif 000004
【図３】
0003213379.tif 000005
【手続補正書】
【提出日】平成29年2月8日(2017.2.8)
【手続補正１】
【補正対象書類名】実用新案登録請求の範囲
【補正対象項目名】全文
【補正方法】変更
【補正の内容】
【実用新案登録請求の範囲】
【請求項１】
米のとぎ汁を活用し苛性ソーダーを加えた活性液の作り方工程Ｓ１から好気性と嫌気性の微生物は乳酸菌群、酵母菌、光合成細菌郡、醗酵系の糸状菌郡、グラム陽性の放線菌郡を天然材料で複合培養した有効微生物群の培養した菌の意味の造語で以下「ＥＭ菌」本体と総称し、サトウキビからでた糖蜜をＥＭ菌本体で培養した乳酸菌や酵母、光合成細菌で醗酵させた発酵液をＥＭ−１菌と称し、ＥＭ菌本体を粘土に混ぜ込み素焼きに仕上げセラミックスを微粉末にした菌入のセラミックスパウダーをＥＭ−Ｘセラミックスパウダーと称し、ＥＭ−１菌をＥＭ−Ｘセラミックスパウダーに加え、天然アルコールの作り方工程Ｓ８から塩素抜きの水をご飯に溶いたところにＥＭ−１菌を加え醗酵させて仕上げたアルコールをＥＭ−１天然アルコールと称し米のとぎ汁を活用し苛性ソーダーを加えた活性液にＥＭ−１菌をＥＭ−Ｘセラミックスパウダーに加えさらにＥＭ−１天然アルコールを混合させＳ１工程で作られた原料を投入しさらに加えられたＳ２工程の原料を混合し、投入工程Ｓ３でリサイクルオイル（廃油）を注ぎ、石鹸原油元工程Ｓ４完了後保温箱等に型容器ごと一次乾燥Ｓ５を経て、石鹸型から取り出し熟成乾燥Ｓ６とから成り、ＥＭ菌本体と石鹸主原料となるリサイクルオイルもしくは各種単体オイルである植物油オリーブオイル、ココナッツオイル、バームオイル、マカダミアナッッオイル、ホホバオイル、スートアーモンドオイルなどを単体オイル混合配合に使用よることを特徴とする乳酸菌の付いた米のとぎ汁にＥＭ菌本体と植物油を混合し組み合わせた石鹸
【請求項２】
お米を研ぐときに出る、お米のとぎ汁に「苛性ソーダー」水酸化ナトリウムもしくはオルトケイ酸ナトリウムを耐熱容器などに静かに注ぐように入れます濁りながら苛性ソーダーが溶け始め煙と嫌な匂いを出しはじめますと約９０℃位の高熱になりますので長手の撹拌棒などでゆっくり撹拌しＳ１工程から次の工程に入る撹拌から約６０℃まで冷ましてからＥＭ−１天然アルコールはご飯に水道水などの塩素抜き工程した水を注ぎ１リットルの水に対しＥＭ−１発酵液２５ｃｃを注ぎ容器として使用するペットボトルなどの容器をよく洗浄し菌が増殖し気泡が出たら容器の栓をゆるめてガス抜きを数回繰り返しますとＥＭ−１天然アルコールが仕上がるので緩やかに注ぎＥＭ−１液状菌とＥＭ−Ｘセラミックスパウダーの混入した菌を同様に注ぎながら耐熱容器の中で長手の撹拌棒等でゆっくりと撹拌しＳ２の工程から次の工程に入る撹拌状況のＥＭ−Ｘセラミックスパウダーが完全に混合し溶けたことを判断後、リサイクルオイルを注ぐ固まっていた場合は湯煎をして溶かして注ぐ、もしくは各種植物油を溶解したＥＭ−Ｘセラミックスパウダーに混合するように、糸を引くように垂らしいれながら、リサイクルオイル油などをゆっくりと馴染むように注ぎ入れ長手の撹拌棒などで撹拌しながら両方が馴染んでから、残りリサイクルオイル油もしくは各種植物油などを、２００〜３００ｃｃ位の量でも一度に注いで構わないので撹拌しながらもったりした手応えの硬さ約１０〜２０分程、長手の撹拌棒などで撹拌し石鹸の型容器に流し入れＳ４の工程から次の工程に入る型容器に入った石鹸を保温箱や保温部屋などに移動し、数日したら表面乾燥に入り少し固まり状態に入るＳ５の一次乾燥石けん後、型から取り出し乾燥させる為約一ヶ月位熟成させる二次熟成乾燥仕上げ工程Ｓ６からなることを特徴とする前記請求項１に記載の乳酸菌の付いた米のとぎ汁にＥＭ菌本体と植物油を混合し組み合わせた石鹸
【請求項３】
前記請求項１、２に記載の、乳酸菌の付いた米のとぎ汁にＥＭ菌本体と植物油を混合し組み合わせた石鹸のフローチャートＳ３リサイクルオイルに変わり各種植物油オリーブオイル、ココナッツオイル、バームオイル、マカダミアナッッオイル、ホホバオイル、スィートアーモンドオイル、米サラダオイルその他のオイル等に材料を、置き換えることにより、各種オイルの成分効果において、石鹸の使い要素が代わり、各種オイルに備わる成分の効力と効果が引き出され個性ある新しい石鹸が提供できることからなることを特徴とする前記請求項１または２記載の乳酸菌の付いた米のとぎ汁にＥＭ菌本体と植物油を混合し組み合わせた石鹸
【請求項４】
天然アルコールを作る工程８で使用される容器は十分に洗浄したペットボトルなどの容器を用いて、塩素抜きの水にＥＭ−１を注ぐと一週間位でＥＭ−１の菌が増殖し発酵してくるのが気泡の泡立ちから解り、ペットボトルの容器が膨らんでくることから菌の醗酵反応状態が判るので、ペットボトルの容器が膨らみ始めたらペットボトルの容器の栓をゆるめてガス抜きをして、再度栓を閉めて菌の醗酵反応状態を観察して醗酵がおちつきペットボトルの容器が膨らむことがなくなる時点で、ＥＭ−１いり天然アルコールが仕上がるので使用においては上記記載で使用することを特徴とする前記請求項１〜３のいずれか一項に記載の乳酸菌の付いた米のとぎ汁にＥＭ菌本体と植物油を混合し組み合わせた石鹸
【手続補正２】
【補正対象書類名】明細書
【補正対象項目名】全文
【補正方法】変更
【補正の内容】
【考案の詳細な説明】
【技術分野】
【０００１】  本考案は、お米の表面には乳酸菌が付いています、その働きはお米の腐敗防止をしている米の常在菌と呼ばれ、人体にも非常に大切な菌で、菌にはバリア機能があり、人であれば病気から保護し、お米であれば腐敗などを抑制する働きをしますこの菌はお米を研ぐことによって乳酸菌が含まれているとぎ汁が出来るこの乳酸菌入のとぎ汁に好気性と嫌気性の微生物は乳酸菌群、酵母菌、光合成細菌郡、醗酵系の糸状菌郡、グラム陽性の放線菌郡を天然材料で複合培養した有効微生物群の意味の造語で以下ＥＭ菌本体と称し、その一種である品名ＥＭ−１は働きの異なる数十種の微生物で培養された液状の培養液であり、ＥＭ−ＸセラミックスパウダーはＥＭ菌を粘土に混ぜ込み焼き上げたセラミックスを微粉末パウダー状にした菌パウダー等をリサイクルオイル又は各種植物油オイルに混合し撹拌して、熟成乾燥した乳酸菌の付いた米のとぎ汁にＥＭ菌本体と植物油を混合し組み合わせた石鹸関するものである。
【背景技術】
【０００２】  従来、老人臭などの体臭を消すのにＥＭ菌を入れた石鹸はあった。また水虫やタムシの症状の改善に寄与する事ができるとした石けんが記載されていた。
【実用新案登録第３１５２７１６号】
登録実用新案公報
【考案の開示】
【考案が解決しようとする課題】
【０００３】  従来洗浄剤には脂肪酸アルカリ塩である固形石鹸が主流で、これらの脂肪酸には不飽和脂肪酸が３０〜４０重量％程度使用されており、石けんの溶解性や成形性を保持するには有効であるが石けんとしての保存安定性が悪く、変色や臭気劣化が生じやすいと言う問題があった。さらに一般的石けんには海面活性剤や硬化剤、防腐剤や防カビ剤などの添加物が多数入った石けんが多く、肌荒れを起こすなどの問題があった。またＥＭ菌を入れた石けんの［実用新案登録第３１５２７１６号］登録実用新案公報の本考案に係る石けんの製造方法の説明に「ＥＭ菌を繁殖させるために」水の中に入れて放置する工程Ｓ１〜Ｓ３には、菌を繁殖させる餌となるものは石鹸材料には含んではいないのは明らかであり、ＥＭ菌の効力を引き出し発揮する目的の水虫などの抗菌効果は少なく、でんぷんとしては、ご飯を使用していると記述されて、ＥＭ菌の栄養源となるものであると記述しているが、石けんを作る工程原料の中には、ご飯は存在しないのは明らかであり、［実用新案登録第３１５２７１６号］登録実用新案公報の記述ではＥＭ菌効力を十分に引き出した石けんは出来ないのは明確であり、本考案はこの欠点を解決しようとするものである。
【課題を解決するための手段】
【０００４】  本考案は、活性液の作り方工程Ｓ１からＥＭ−１天然アルコールＥＭ発酵液ＥＭ−１菌液状を加えたＥＭ−Ｘセラミックスパウダー投入工程Ｓ２と、リサイクルオイル「廃油」投入工程Ｓ３から石鹸原油元工程Ｓ４完了後保温箱等に型容器ごと一次乾燥Ｓ５を経て、石鹸型から取り出し熟成乾燥Ｓ６とから成ることを特徴とする好気性と嫌気性の微生物は乳酸菌群、酵母菌、光合成細菌郡、醗酵系の糸状菌郡、グラム陽性の放線菌郡を天然材料で複合培養した有効微生物群の意味の造語で以下ＥＭ菌本体と称し、その一種である品名ＥＭ−１は働きの異なる数十種の微生物で培養された液状の培養液であり、ＥＭ−ＸセラミックスパウダーはＥＭ菌本体を粘土に混ぜ込み焼き上げたセラミックスを微粉末パウダー状にした菌パウダーであり、複合しＥＭ菌本体と石鹸主原料となるリサイクルオイル「廃油」もしくは各種植物油オイルとのＥＭ菌本体混合配合とする事により問題点を解決している。
【考案の効果】
【０００５】  上述の様に、本考案の石鹸は好気性と嫌気性の微生物は乳酸菌群、酵母菌、光合成細菌郡、醗酵系の糸状菌郡、グラム陽性の放線菌郡を天然材料で複合培養した有効微生物群の意味の造語で以下ＥＭ菌本体と称し、その一種である品名ＥＭ−１は働きの異なる数十種の微生物で培養された液状の培養液でありＥＭ−Ｘセラミックスパウダー」はＥＭ菌を粘土に混ぜ込み焼き上げたセラミックスを微粉末パウダー状にした菌パウダーであり複合したＥＭ菌本体と石鹸主原料となるリサイクルオイル「廃油」もしくは各種植物油とのＥＭ菌本体混合配合でつくられた石鹸の効果は、塩析を行わずにそのままつくられることが特徴で、油脂と苛性ソーダーとお米の表面に付いている乳酸菌、その働きは腐敗防止をしている常在菌を備えた米のとぎ汁に反応させ、さらにＥＭ−１天然アルコールを製法で作り上げた天然アルコールを加え添加していることからさらに油脂と苛性ソーダーの分離を抑える効果が増し品質のよい石鹸を提供できる。
【考案を実施するための最良の形態】
【０００６】以下本考案の実施の形態について説明する。
（イ）お米を研ぐときに出るお米のとぎ汁に「苛性ソーダー」水酸化ナトリウムもしくはオルトケイ酸ナトリウムを耐熱容器などに静かに注ぐように入れる。
（ロ）濁りながら苛性ソーダーが溶け始め、煙と嫌な匂いを出しはじめますと約９０℃位の高熱になりますので長手の撹拌棒などでゆっくり撹拌しＳ１工程から次の工程に入る。
（ハ）撹拌から約６０℃まで冷ましてから、ＥＭ−１天然アルコールを注ぎ、ＥＭ−１菌液状とＥＭ−Ｘセラミックスパウダーの混入した菌を同様に注ぎながら耐熱容器の中で長手の撹拌棒などでゆっくりと撹拌しＳ２の工程から次の工程に入る。
（二）撹拌状況のＥＭ−Ｘセラミックスパウダーが完全に混合し溶けたことを判断後リサイクルオイルが使用時固まっていた場合は、湯煎をして溶かしもしくは各種植物油を溶解したＥＭ−Ｘセラミックスパウダーに混合するように糸を引くように垂らしいれながらリサイクルオイルなどをゆっくりゆっくりと馴染むように注ぎいれ長手の撹拌棒などで撹拌しながら両方が馴染んでから、残りリサイクルオイルなどを２００〜３００ｃｃ位の量でも一度に注いで構わないので撹拌を続ける。
（ニ）撹拌しながら、もったりした手応えの硬さ約１０〜２０分程、長手の撹拌棒などで撹拌し石鹸の型容器に流し入れＳ４の工程からＳ５の工程に入る。
（ヘ）型容器に入った石鹸を保温箱や保温部屋などに移動し、数日したら表面乾燥に入り少し固まり状態に入るＳ５の一次乾燥工程からＳ６の工程に入る。
（ト）一次乾燥工程の石鹸を、型から取り出し、二次熟成乾燥仕上げ工程Ｓ６の仕上げ乾燥させ、約一ヶ月位熟成させ石鹸の仕上がりとなる。
本考案は、以上の工程でこれを使用するときは、リサイクルオイルを原料とした石鹸は一般清掃や台所などのキッチン使用、食器やズック落ちにくい衣服などその効果を十分に働きます。植物油のいろいろなオイルをベースにした石鹸は、使用する植物オイルの成分効果で様々な用途の石鹸が作ることが出来ます。例えばアボカドバターを使った石鹸仕上がりの使用効果は、髪と皮膚に潤いを与え、自然な紫外線防止効果がある石鹸ができます。保湿効果とか肌を柔らかくするなど植物オイルは肌に優しい石鹸が出来ます。自然の米のお米の表面に付いている乳酸菌、その働きは腐敗防止をしている常在菌を備えた米のとぎ汁に反応させ、好気性と嫌気性の微生物は乳酸菌群、酵母菌、光合成細菌郡、醗酵系の糸状菌郡、グラム陽性の放線菌郡を天然材料で複合培養した有効微生物群の意味の造語で以下ＥＭ菌本体と称し、その一種である品名ＥＭ−１は働きとの微生物の働きを応用して作られた石鹸は、廃油やその配合原料のもつ匂いや使用感を不快にさせていた。従来の石けんの短所を改善した新しい石鹸です。乳酸菌の付いた米のとぎ汁にＥＭ菌本体と植物油を混合し組み合わせた石鹸を提供しているので、使い目的を選択して使用できる石鹸です。
【図面の簡単な説明】
【０００７】
【図１】本考案によるリサイクルオイルを用いて作る石鹸のフローチャートである。
【図２】本考案による各種植物オイルを用いて作る石鹸のフローチャートである。
【図３】本考案に使用するＥＭ−１天然アルコールを作るフローチャートである。
【符号の説明】
【０００８】Ｓ１  活性液の作り方工程
Ｓ２  ＥＭ−１天然アルコール「ＥＭ発酵液」とＥＭ−１菌液状を加えた
ＥＭ−Ｘセラミックスパウダー投入工程
Ｓ３  リサイクルオイル「廃油」投入工程
Ｓ４  石鹸原油元工程
Ｓ５  一次乾燥工程
Ｓ６  熟成乾燥工程
Ｓ７  各種植物油投入工程
Ｓ８  ＥＭ−１天然アルコール
【手続補正３】
【補正対象書類名】図面
【補正対象項目名】全図
【補正方法】変更
【補正の内容】
【図１】
0003213379.tif 000006
【図２】
0003213379.tif 000007
【図３】
0003213379.tif 000008
【手続補正書】
【提出日】平成29年4月11日(2017.4.11)
【手続補正１】
【補正対象書類名】実用新案登録請求の範囲
【補正対象項目名】全文
【補正方法】変更
【補正の内容】
【実用新案登録請求の範囲】
【請求項１】
「石鹸であって、
（Ａ）  米のとぎ汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は、嫌気性又は嫌気性の微生物を複合培養した有効微生物群の培養物、
（Ｂ）（Ａ）出来た有効微生物群の培養物にサトウキビからでた糖蜜で醗酵させた発酵液、
（Ｃ）（Ａ）出来た有効微生物群の培養物を粘土に混ぜ込み素焼きに焼成工程で仕上げたセラミックス材料を、細かく砕いて微粉末に仕上げた「セラミックスパウダー」、
（Ｄ）（Ａ）出来た有効微生物群の培養物を（Ｃ）のセラミックスパウダーに加え、
（Ｅ）ご飯に塩素抜きの水を入れ、（Ａ）出来た有効微生物群の培養物を加え醗酵させた液「天然アルコール」、
（Ｆ）（Ｄ）工程出来た材料と（Ｅ）の天然アルコールを加え、混合し、
（Ｇ）（Ｆ）原料にリサイクルオイル（廃油）を注ぎ、粘着するまで，よく撹拌し、
（Ｈ）固まる前に型容器に注ぎ込み、表面乾燥まで放置し、型から取出し、再度熟成乾燥させ、固化し一定の形状を有し、
（Ｉ）  米のとぎ汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は嫌気性又は嫌気性の微生物を複合培養した有効微生物群の培養物と発酵液及び植物油を混合し組み合わせ、型に入れた後、型から取出して乾燥させる工程を経たもので固化し一定の形状を有し含むことを特徴とする石鹸。」
【請求項２】
「石鹸であって、
（Ａ）  米のとぎ汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は、嫌気性又は嫌気性の微生物を複合培養した有効微生物群の培養物、
（Ｂ）（Ａ）出来た有効微生物群の培養物にサトウキビからでた糖蜜で醗酵させた発酵液、
（Ｃ）（Ａ）出来た有効微生物群の培養物を粘土に混ぜ込み素焼きに焼成工程で仕上げたセラミックス材料を、細かく砕いて微粉末に仕上げた「セラミックスパウダー」、
（Ｄ）（Ａ）出来た有効微生物群の培養物を（Ｃ）のセラミックスパウダーに加え、
（Ｅ）ご飯に塩素抜きの水を入れ、（Ａ）出来た有効微生物群の培養物を加え醗酵させた液「天然アルコール」、
（Ｆ）（Ｄ）工程出来た材料と（Ｅ）の天然アルコールを加え、混合し、
（Ｇ）（Ｆ）原料に植物油（オイル）を注ぎ、粘着するまで，よく撹拌し、
（Ｈ）固まる前に型容器に注ぎ込み、表面乾燥まで放置し、型から取出し、再度熟成乾燥させ、固化し一定の形状を有し、
（Ｉ）  米のとぎ汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は嫌気性又は嫌気性の微生物を複合培養した有効微生物群の培養物と発酵液及び植物油を混合し組み合わせ、型に入れた後、型から取出して乾燥させる工程を経たもので固化し一定の形状を有し含むことを特徴とする請求項１記載を含む石鹸。」
【請求項３】
請求項２に記載の、原料に注ぐ、植物油（オイル）は、各種の植物から抽出した植物油（オイル）、オリーブオイル又は、ココナッツオイル又は、バームオイル又は、マカダミアナッツオイル又は、ホホバオイル又は、スイートアーモンドオイル又は、米サラダオイルその他のオイル等に置き換えることにより、各種オイルに備わった成分効果において、石鹸の使い要素が代わり、各種オイルに備わる成分の効力と効果が引き出された個性のある新しい効力を備えた石鹸を提供出来ることからなることを特徴とする請求項２記載を含む石鹸。
【請求項４】
「石鹸であって、
（Ｊ）  米のとぎ汁汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は嫌気性又は嫌気性の微生物を複合培養した有効微生物群の培養物、
（Ｋ）（Ｊ）出来た有効微生物群の培養物にサトウキビからでた糖蜜で醗酵させた発酵液、で天然アルコールを作る、
（Ｌ）使用される容器は十分に洗浄したペットボトルなどの容器を用いて、
（Ｍ）塩素抜きの水に（Ｋ）醗酵液を注ぐ、
（Ｎ）一週間位で（Ｋ）で作られた醗酵液の菌が増殖し発酵してくる、
（Ｏ）容器の中で気泡の泡立ちから、ペットボトルの容器が膨らんでくることから菌の醗酵反応状態が判る、
（Ｐ）ペットボトルの容器が膨らみ始めたらペットボトルの容器の栓をゆるめてガス抜きをして、再度栓を閉めて菌の醗酵反応状態を観察し，
（Ｑ）醗酵がおちつきペットボトルの容器が膨らむことがなくなる時点で、（Ｂ）で作られた醗酵液の菌いり天然アルコールが仕上がり、
（Ｒ）請求項１〜３のいずれか１項に記載の米のとぎ汁乳酸菌に有効微生物群の培養物と発酵液及び植物油を混合し組み合わせ、型に入れた後、型から取出して乾燥させる工程を経たもので固化し一定の形状を有したことを特徴とする石鹸。」
【手続補正２】
【補正対象書類名】明細書
【補正対象項目名】全文
【補正方法】変更
【補正の内容】
【考案の詳細な説明】
【技術分野】
【０００１】  本考案は、お米の表面には乳酸菌が付いています、その働きはお米の腐敗防止をしている米の常在菌と呼ばれ、人体にも非常に大切な菌で、菌にはバリア機能があり、人であれば病気から保護し、お米であれば腐敗などを抑制する働きをしますこの菌はお米を研ぐことによって乳酸菌が含まれているとぎ汁が出来る
米のとぎ汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は嫌気性又は嫌気性の微生物を複合培養した有効微生物群の培養物で出来た有効微生物群の培養物にサトウキビからでた糖蜜で醗酵させた液状の発酵液。
出来た有効微生物群の培養物を粘土に混ぜ込み素焼きに焼成工程で仕上げたセラミックス材料を、細かく砕いて微粉末に仕上げた「セラミックスパウダー」に有効微生物群の培養物をセラミックスパウダーに加え、ご飯に塩素抜きの水を入れ、有効微生物群の培養物を加え醗酵させた液「天然アルコール」、を加えよく混合し、原料のリサイクルオイル（廃油）又は各種植物油オイルを注ぎ、粘着力がでるまで、良く撹拌し、有効微生物群の培養物と発酵液及び植物油を混合し組み合わせ、型に入れた後、型から取出して乾燥させる工程を経たもので固化し一定の形状を有した石鹸関するものである。
【背景技術】
【０００２】  従来、老人臭などの体臭を消すのに微生物の菌を入れた石鹸はあった。また水虫やタムシの症状の改善に寄与する事ができるとした石けんが記載されていた。
【実用新案登録第３１５２７１６号】
登録実用新案公報
【考案の開示】
【考案が解決しようとする課題】
【０００３】  従来洗浄剤には脂肪酸アルカリ塩である固形石鹸が主流で、これらの脂肪酸には不飽和脂肪酸が３０〜４０重量％程度使用されており、石けんの溶解性や成形性を保持するには有効であるが石けんとしての保存安定性が悪く、変色や臭気劣化が生じやすいと言う問題があった。さらに一般的石けんには海面活性剤や硬化剤、防腐剤や防カビ剤などの添加物が多数入った石けんが多く、肌荒れを起こすなどの問題があった。また微生物の菌を入れた石けんの［実用新案登録第３１５２７１６号］登録実用新案公報の本考案に係る石けんの製造方法の説明に「微生物の菌を繁殖させるために」水の中に入れて放置する工程には、菌を繁殖させる餌となるものは、石鹸材料には含んではいないのは明らかであり、微生物の菌の効力を引き出し発揮する目的の水虫などの抗菌効果は少なく、でんぷんとしては、ご飯を使用していると記述されて、微生物の菌の栄養源となるものであると記述しているが、石けんを作る工程原料の中には、ご飯は存在しないのは明らかであり、［実用新案登録第３１５２７１６号］登録実用新案公報の記述では微生物の菌効力を十分に引き出した石けんは出来ないのは明確であり、本考案はこの欠点を解決しようとするものである。
【課題を解決するための手段】
【０００４】（Ｒ）  本考案は、米のとぎ汁乳酸菌に苛性ソーダーを加えた活性液を高熱になる約９０℃まで撹拌をし、６０℃位までさます。
（Ｓ）  米のとぎ汁汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は嫌気性又は嫌気性の微生物を複合培養した有効微生物群の培養物に有効微生物群の培養物を加え醗酵させた液状に有効微生物群の培養物にサトウキビからでた糖蜜で醗酵させた液状の発酵液を加えた有効微生物群の培養物を粘土に混ぜ込み素焼きに焼成工程で仕上げたセラミックス材料を細かく砕いて微粉末に仕上げたセラミックスパウダーを投入し混合する。
（Ｔ）  有効微生物群の培養物にご飯のとぎ汁を投入し醗酵して作った天然アルコール
（Ｕ）  上記（Ｒ）及び（Ｓ）並びに（Ｔ）の原料を配合しよく撹拌混合し完全に混ぜ合わせるように撹拌する。
（Ｖ）  （Ｕ）の作業工程後にリサイクルオイル「廃油」もしくは各種植物油オイルを注ぎよく撹拌する。
（Ｗ）  ネバリがでるまで良く撹拌した原料をゴムヘラ等を用いて、型容器などに注入するように流し注ぎ込む、
（Ｘ）  型容器などに流し込まれた後は、保温箱などに保管して、表面乾燥するまで放置し、
（Ｙ）  表面乾燥後は、固化した一定の形状を有した石鹸を、型容器などから取出し、再度、熟成乾燥させ、
（Ｚ）  米のとぎ汁乳酸菌に有効微生物群の培養物と植物油を混合し組み合わせ型に入れ固化し一定の形状を有した石鹸が完成する事により問題点を解決している。
【考案の効果】
【０００５】  上述の様に、本考案の石鹸は、米のとぎ汁汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は嫌気性又は嫌気性の微生物を複合培養した有効微生物群の培養物に有効微生物群の培養物を加え醗酵させた液状に有効微生物群の培養物にサトウキビからでた糖蜜で醗酵させた液状の発酵液を加えた有効微生物群の培養物を粘土に混ぜ込み素焼きに焼成工程で仕上げたセラミックス材料を細かく砕いて微粉末に仕上げたセラミックスパウダーを投入し混合し、有効微生物群の培養物にご飯のとぎ汁を投入し醗酵して作った天然アルコールとうの配合した原料に、石鹸原料となるリサイクルオイル「廃油」もしくは各種植物油との配合でつくられた石鹸の効果は、塩析を行わずそのままつくられることが特徴で、米のとぎ汁汁乳酸菌に苛性ソーダーを加えた活性液の働きは腐敗防止に働き、酸化しにくく、石鹸の変色およびカビが生えることを、防止するため、防腐剤などは不使用であるまた、使用原料に用いる天然アルコール製法で作り上げた天然アルコールを加え添加していることからさらに油脂と苛性ソーダーの分離を抑える効果が増し、自然割れのしにくい品質のよい石鹸を提供できる。
【考案を実施するための最良の形態】
【０００６】以下本考案の実施の形態について説明する。
（イ）お米を研ぐときに出るお米のとぎ汁に「苛性ソーダー」水酸化ナトリウムもしくはオルトケイ酸ナトリウムを耐熱容器などに静かに注ぐように入れる。
（ロ）濁りながら苛性ソーダーが溶け始め、煙と嫌な匂いを出しはじめますと約９０℃位の高熱になりますので長手の撹拌棒などでゆっくり撹拌する。
（ハ）撹拌から約６０℃まで冷ましてから、ご飯に塩素抜きの水を入れ、有効微生物群の培養物を加え醗酵させた液「天然アルコール」と活性液に注ぎ、
有効微生物群の培養物とセラミックスパウダーを混合した原料を同様に注ぎながら耐熱容器の中で長手の撹拌棒などでゆっくりと撹拌する。
（二）撹拌状況のセラミックスパウダーとうが完全に混合し溶けたことを判断後リサイクルオイルが使用時固まっていた場合は、湯煎をして溶かしもしくは各種植物油を溶解したセラミックスパウダーに混合するように糸を引くように垂らしいれながらリサイクルオイルなどをゆっくりゆっくりと馴染むように注ぎいれ長手の撹拌棒などで撹拌しながら両方が馴染んでから、残りリサイクルオイルなどを２００〜３００ｃｃ位の量でも一度に注いで撹拌を続ける。
（ホ）撹拌しながら、粘着した手応えの硬さ約１０〜２０分程、長手の撹拌棒などで撹拌し石鹸の型容器に流し入れる。
（ヘ）型容器に入った石鹸を保温箱や保温部屋などに移動し、数日したら表面乾燥に入り少し固まり状態に入る。
（ト）乾燥工程の石鹸を、型から取り出し、再度の仕上げ乾燥させ、約一ヶ月位熟成させ石鹸の仕上がりとなる。
本考案は、以上の工程でこれを使用するときは、リサイクルオイルを原料とした石鹸は一般清掃や台所などのキッチン使用、食器やズック落ちにくい衣服などその効果を十分に働きます。植物油のいろいろなオイルをベースにした石鹸は、使用する植物オイルの成分効果で様々な用途の石鹸が作ることが出来ます。例えばアボカドバターを使った石鹸仕上がりの使用効果は、髪と皮膚に潤いを与え、自然な紫外線防止効果がある石鹸ができます。保湿効果とか肌を柔らかくするなど植物オイルは肌に優しい石鹸が出来ます。自然の米のお米のとぎ汁乳酸菌面の働きは腐敗防止に反応し、米のとぎ汁乳酸菌に苛性ソーダーを加えた活性液及び天然材料を含む培地中において、乳酸菌群、酵母菌、光合成細菌群、醗酵系の糸状菌群、及びグラム陽性の放線菌群を含む好気性又は、嫌気性又は嫌気性の微生物を複合培養した有効微生物群の培養物好気性と嫌気性の微生物は乳酸菌群、酵母菌、光合成細菌群、醗酵系の糸状菌群、グラム陽性の放線菌群を天然材料で複合培養した有効微生物群であるその有効微生物群の働きを応用して作られた石鹸は、廃油やその配合原料のもつ匂いや使用感を不快にさせていた。従来の石けんの短所を改善した新しい石鹸です。
米のとぎ汁乳酸菌に有効微生物群の培養物と植物油を混合し組み合わせ型に入れ固化し一定の形状を有した石鹸を提供していますので、使い目的を選択して使用できる石鹸を提供できます。
【図面の簡単な説明】
【０００７】
【図１】本考案によるリサイクルオイルを用いて作る石鹸のフローチャートである。
【図２】本考案による各種植物オイルを用いて作る石鹸のフローチャートである。
【図３】本考案に使用する天然アルコールを作るフローチャートである。
【符号の説明】
【０００８】  １  米のとぎ汁
２  苛性ソーダー
３  活性液
４  有効微生物群の培養物
５  セラミックスパウダー
６  天然アルコール
７  リサイクルオイル
８  型容器
９  保温箱
１０  各種植物油
１１  ご飯
１２  水
１３  ペットボトル
【手続補正３】
【補正対象書類名】図面
【補正対象項目名】全図
【補正方法】変更
【補正の内容】
【図１】
0003213379.tif 000009
【図２】
0003213379.tif 000010
【図３】
0003213379.tif 000011
【手続補正書】
【提出日】平成29年6月12日(2017.6.12)
【手続補正１】
【補正対象書類名】実用新案登録請求の範囲
【補正対象項目名】全文
【補正方法】変更
【補正の内容】
【実用新案登録請求の範囲】
【請求項１】
米のとぎ汁に苛性ソーダーを加えた液を（活性液と称する）、活性液を撹拌すると、米のとぎ汁と苛性ソーダーが化学反応して高熱に達する、約９０℃迄温度があがる、自然に冷ます（約３０分程で温度は下がる）活性液の温度が６０℃迄下がったら、水道水の水を汲み置きして、一昼夜置いて塩素を抜いた水に乳酸菌・酵母菌・光合成細菌を中心とした微生物の複合体を（有効微生物群の培養物と称する）加え、発酵させた液を（天然アルコールと称する）６０℃の活性液に加え、有効微生物群の培養物にサトウキビからでた糖蜜を加えて醗酵させた発酵液を粘土に混ぜ込み素焼きに焼成工程（約６５０℃〜８００℃内）で仕上げたセラミックス材料を細か砕いて微粉末に仕上げた材料（セラミックスパウダーと称する）を６０℃の活性液に加え、撹拌してセラミックスパウダーを完全に溶解するまで撹拌した後に使用済の食用油（リサイクルオイルと称する）を約１００ＣＣ程度注ぎ入れ馴染ませるようにゆっくり撹拌をし、馴染んでから残オイル約２００〜３００ＣＣ（手つくりの為１回の作業取り扱いの限度量を考慮したオイル使用量）を注ぎ入れ、持ったりする迄撹拌をした原料を型容器に流し注ぐように入れ、保温箱などに入れると約２〜３日したら固まり始めますので、石鹸の型容器から取り出し、再度熟成約１ケ月ほど乾燥させる工程を経由したもので固化し、米のとぎ汁と有効微生物群の培養物とリサイクル油を混合し組み合わせ型容器に入れ固化し一定の形状を有したことを特徴とする石鹸。
【請求項２】
米のとぎ汁に苛性ソーダーを加えた液を（活性液と称する）、活性液を撹拌すると、米のとぎ汁と苛性ソーダーが化学反応して高熱に達する、約９０℃迄温度があがる、自然に冷ます（約３０分程で温度は下がる）活性液の温度が６０℃迄下がったら、水道水の水を汲み置きして、一昼夜置いて塩素を抜いた水に乳酸菌・酵母菌・光合成細菌を中心とした微生物の複合体を（有効微生物群の培養物と称する）加え、発酵させた液を（天然アルコールと称する）６０℃の活性液に加え、有効微生物群の培養物にサトウキビからでた糖蜜を加えて醗酵させた発酵液を粘土に混ぜ込み素焼きに焼成工程（約６５０℃〜８００℃内）で仕上げたセラミックス材料を細か砕いて微粉末に仕上げた材料（セラミックスパウダーと称する）を６０℃の活性液に加え、撹拌してセラミックスパウダーを完全に溶解するまで撹拌した後に各種の植物から抽出した植物油（オリーブオイル・ココナッツオイル・バームオイル・マカダミアナッツオイル・ホホバオイル等）などを約１００ＣＣ程度注ぎ入れ馴染ませるようにゆっくり撹拌をし、馴染んでから残オイル約２００〜３００ＣＣ（手つくりの為１回の作業取り扱いの限度量を考慮したオイル使用量）を注ぎ入れ、持ったりする迄撹拌をした原料を型容器に流し注ぐように入れ、保温箱などに入れると約２〜３日したら固まり始めますので、石鹸の型容器から取り出し、再度熟成約１ケ月ほど乾燥させる工程を経由したもので固化し、米のとぎ汁と有効微生物群の培養物と植物油を混合し組み合わせ型容器に入れ固化し一定の形状を有したことを特徴とする請求項１記載を含む石鹸。
【請求項３】
各種植物油の使用効果は植物に備わった栄養分の効能で各種オイルに備わった成分効果において、様々な用途の石鹸を提供できます、すなわち天然ビタミンが植物の品種によって様々な効果を私達の身体に与えてくれるからです、例えてあげればひまわりの油を使った石鹸を作り上げますと、ひまわりの種から採れる油は天然ビタミンＥが豊富に含んだ酸化安定性に優れた油で作られたひまわり油は人間の皮膚の主成分であるオレイン酸を８０％含んでおりオリーブオイルと似た脂肪酸構成になっているので、オリーブオイルより去ったパリとした石鹸を提供でき、保湿力も効果大です。このように各種オイルのもつ天然ビタミンを取り入れることにより、各種オイルの原料を変更することで使用する人の肌や目的にあった石鹸を提供することができ、形状は簡易なプラスチック容器でユニークな形状の石鹸を提供でき、米のとぎ汁と有効微生物群の培養物と各種植物油を混合し組み合わせ型容器に入れ固化し一定の形状を有したことを特徴とする請求項１、２記載を含む石鹸。
【手続補正３】
【補正対象書類名】図面
【補正対象項目名】図１
【補正方法】変更
【補正の内容】
【図１】
0003213379.tif 000012
【手続補正３】
【補正対象書類名】図面
【補正対象項目名】図２
【補正方法】変更
【補正の内容】
【図２】
0003213379.tif 000013
【手続補正書】
【提出日】平成29年8月10日(2017.8.10)
【手続補正１】
【補正対象書類名】実用新案登録請求の範囲
【補正対象項目名】全文
【補正方法】変更
【補正の内容】
【実用新案登録請求の範囲】
【請求項１】
米のとぎ汁に苛性ソーダーを加えた液を（活性液と称する）、活性液を撹拌すると、米のとぎ汁と苛性ソーダーが化学反応して高熱に達する、約９０℃迄温度があがる、自然に冷ます（約３０分程で温度は下がる）活性液の温度が６０℃迄下がったら、水道水の水を汲み置きして、一昼夜置いて塩素を抜いた水に乳酸菌・酵母菌・光合成細菌を中心とした微生物の複合体を（有効微生物群の培養物と称する）加え、発酵させた液を（天然アルコールと称する）６０℃の活性液に加え、有効微生物群の培養物にサトウキビからでた糖蜜を加えて醗酵させた発酵液を粘土に混ぜ込み素焼きに焼成工程（約６５０℃〜８００℃内）で仕上げたセラミックス材料を細かく砕いて微粉末に仕上げた材料（セラミックスパウダーと称する）を６０℃の活性液に加え、撹拌してセラミックスパウダーを完全に溶解するまで撹拌した後に使用済の食用油（リサイクルオイルと称する）を約１００ｃｃ程度注ぎ入れ馴染ませるようにゆっくり撹拌をし、馴染んでから残オイル約２００〜３００ｃｃ（手つくりの為１回の作業取り扱いの限度量を考慮したオイル使用量）を注ぎ入れ、もったりする迄撹拌をした原料を型容器に流し注ぐように入れ、保温箱などに入れると約２〜３日したら固まり始めますので、石鹸の型容器から取り出し、再度熟成約１ケ月ほど乾燥させる工程を経由したもので固化し、米のとぎ汁と有効微生物群の培養物とリサイクル油を混合し組み合わせ型容器に入れ固化し一定の形状を有したことを特徴とする石鹸。
【請求項２】
米のとぎ汁に苛性ソーダーを加えた液を（活性液と称する）、活性液を撹拌すると、米のとぎ汁と苛性ソーダーが化学反応して高熱に達する、約９０℃迄温度があがる、自然に冷ます（約３０分程で温度は下がる）活性液の温度が６０℃迄下がったら、水道水の水を汲み置きして、一昼夜置いて塩素を抜いた水に乳酸菌・酵母菌・光合成細菌を中心とした微生物の複合体を（有効微生物群の培養物と称する）加え、発酵させた液を（天然アルコールと称する）６０℃の活性液に加え、有効微生物群の培養物にサトウキビからでた糖蜜を加えて醗酵させた発酵液を粘土に混ぜ込み素焼きに焼成工程（約６５０℃〜８００℃内）で仕上げたセラミックス材料を細か砕いて微粉末に仕上げた材料（セラミックスパウダーと称する）を６０℃の活性液に加え、撹拌してセラミックスパウダーを完全に溶解するまで撹拌した後に各種の植物から抽出した植物油（オリーブオイル・ココナッツオイル・バームオイル・マカダミアナッツオイル・ホホバオイル等）などを約１００ＣＣ程度注ぎ入れ馴染ませるようにゆっくり撹拌をし、馴染んでから残オイル約２００〜３００ｃｃ（手つくりの為１回の作業取り扱いの限度量を考慮したオイル使用量）を注ぎ入れ、持ったりする迄撹拌をした原料を型容器に流し注ぐように入れ、保温箱などに入れると約２〜３日したら固まり始めますので、石鹸の型容器から取り出し、再度熟成約１ケ月ほど乾燥させる工程を経由したもので固化し、米のとぎ汁と有効微生物群の培養物と植物油を混合し組み合わせ型容器に入れ固化し一定の形状を有したことを特徴とする石鹸。
【請求項３】
各種植物油の使用効果は植物に備わった栄養分の効能で各種オイルに備わった成分効果において、様々な用途の石鹸を提供できます、すなわち天然ビタミンが植物の品種によって様々な効果を私達の身体に与えてくれるからです、例えてあげればひまわりの油を使った石鹸を作り上げますと、ひまわり油は，低刺激であることから敏感肌のひとにもおすすめできる特長があり，他のオイルの効果が肌へ浸透しやしやすくなり、ビタミンやカリウムも豊富に含まれているため固くなった肌や傷んだ髪の補修にも効果大で、ひまわりの種から採れる油は天然ビタミンＥが豊富に含んだ酸化安定性に優れた油で作られたひまわり油は人間の皮膚の主成分であるオレイン酸を８０％含んでおりオリーブオイルと似た脂肪酸構成になっているので、オリーブオイルよりさっぱりとした石鹸を提供でき保湿力も効果大で、このように各種オイルのもつ天然ビタミンを取り入れることにより、各種オイルの原料を変更することで使用する人の肌や目的にあった石鹸を提供することができ、形状は簡易なプラスチック容器でユニークな形状の石鹸を提供でき、米のとぎ汁と有効微生物群の培養物と各種植物油を混合し組み合わせ型容器に入れ固化し一定の形状を有したことを特徴とする請求項２記載の石鹸。